(57)【要約】【課題】この発明は、複数のスライドスイッチを１つのケースに組込んでユニット化することにより、小型化、低コスト化および高精度のスイッチの切換え性能が得られる信頼性の高いスイッチユニットおよび電子レンジ用ドアスイッチを提供することを目的とする。【解決手段】この発明は、スライド操作片をスライド操作させることにより接点部間を接離してスイッチング操作するスイッチユニットであって、前記スライド操作片がスライド移動したとき、ケース内部の板バネ導電片を弾性変位させて接点部間を切換えるスライドスイッチをケースに内蔵し、前記スライド操作片のスライド移動時に、前記スライドスイッチの接点部間を切換えるタイミングとは異なるタイミングでケース内部の別の板バネ導電片を弾性変位させて接点部間を切換える別のスライドスイッチを同ケースに内蔵したことを特徴とする。【選択図】　図８
2004039460.tif 000002
【特許請求の範囲】
【請求項１】
ケースに復帰バネを介して取付けられたスライド操作片を設け、該スライド操作片をスライド操作させることにより接点部間を接離してスイッチング操作するスイッチユニットであって、
前記スライド操作片がスライド移動したとき、前記ケース内部の板バネ導電片を弾性変位させて接点部間を切換えるスライドスイッチと、
前記スライド操作片のスライド移動時に、前記スライドスイッチの接点部間を切換えるタイミングとは異なるタイミングで、前記ケース内部の別の板バネ導電片を弾性変位させて別の接点部間を切換える別のスライドスイッチとの少なくとも２つのスライドスイッチを内蔵する
スイッチユニット。
【請求項２】
ケースに復帰バネを介して取付けられたスライド操作片を設け、該スライド操作片をスライド操作させることにより接点部間を接離してスイッチング操作するスイッチユニットであって、
前記スライド操作片がスライド操作方向への外力を受けてスライド移動したとき、前記復帰バネの付勢力に抗して、該スライド操作片の一方に形成された弾性対応部が前記ケース内部の一方の板バネ導電片を弾性変位させて、一方の接点部間をオフ位置からオン位置に切換える第１のスライドスイッチと、
前記スライド操作片がスライド操作方向への外力を受けてスライド移動したとき、前記復帰バネの付勢力に抗して、該スライド操作片の他方に形成された弾性対応部が前記第１のスライドスイッチより遅れて前記ケース内部の他方の板バネ導電片を弾性変位させて、他方の接点部間をオフ位置からオン位置に切換える第２のスライドスイッチとを内蔵する
スイッチユニット。
【請求項３】
前記複数のスライドスイッチのスイッチ構成部品を組込み許容するスイッチ収納部をケース本体に一体的に備えたことを特徴とする
請求項１または２記載のスイッチユニット。
【請求項４】
前記複数のスライドスイッチのスイッチ構成部品を組込んだ操作ユニットをケース本体と別体に設け、
前記ケース本体に前記操作ユニットを連結して構成することを特徴とする
請求項１または２記載のスイッチユニット。
【請求項５】
請求項１、２、３または４記載のスイッチユニットを内蔵して構成した電子レンジ用ドアスイッチ。
【発明の詳細な説明】
【０００１】
【発明が属する技術分野】
この発明は、例えば電子レンジのドアの開閉に連動してスイッチング操作されるようなスイッチユニットに関し、さらに詳しくは複数のスライドスイッチを１つのユニットに組込んで小型化およびスイッチ切換え性能の向上を図ったスイッチユニットおよび電子レンジ用ドアスイッチに関する。
【０００２】
【従来の技術】
以下、電子レンジのドアスイッチ機構を例にとって説明すると、この電子レンジのドアスイッチ機構は、電子レンジ使用時の安全性を考慮してラッチスイッチ、ドアスイッチ、モニタスイッチの３種類のスイッチを内蔵し、これらのスイッチをドアの開閉に連動して、時間差をつけてオンオフ信号が得られるようにスイッチング操作している。
【０００３】
例えば、電子レンジのドアの内面に取付けたドアキーを、本体側に取付けたマイクロスイッチなどのスイッチに対向させ、ドアの閉操作時にドアキーを本体側のスイッチに直接対応させてスイッチング操作している。
【０００４】
ところが、この場合はスイッチ取付け位置のバラツキによって、各々のスイッチの動作タイミングがズレたり、ドアを勢いよく閉じたときのドアキーの衝撃動作等でスイッチに過大な力が加わるなどスイッチ特性の変動を誘起して、正常なスイッチ動作が得られなくなる恐れがあった。
【０００５】
【発明が解決しようとする課題】
また、電子レンジのドア内面に取付けた２つの操作ピンを、本体側に対向する２つのレバーにそれぞれ対向させて配設し、ドアの開閉に応じて操作ピンおよびレバーを介した内部位置のマイクロスイッチをスイッチング操作するドアスイッチ機構が知られている（例えば特開平１１−２１４１４７号参照）。
【０００６】
しかし、この場合は長いレバーを要するため、ドアスイッチ機構の全体が大型化し、それゆえコスト高になっていた。また、マイクロスイッチを使用した場合は、取付け方向により３個のマイクロスイッチの各端子の向きが、それぞれ異方向であるため配線作業が難しく、手間がかかっていた。
【０００７】
そこでこの発明は、スライドスイッチの製作に際して、複数のスライドスイッチを１つのケースに組込んでユニット化することにより小型化が可能になり、またスイッチ部品の共通利用を図って部品点数を削減することにより低コスト化が可能になり、さらに１スライド動作に連動する接点切換え構造に設けることにより、高精度のスイッチの切換え性能が得られる信頼性の高いスイッチユニットおよび電子レンジ用ドアスイッチを提供することを目的とする。
【０００８】
【課題を解決するための手段】
この発明は、ケースに復帰バネを介して取付けられたスライド操作片を設け、該スライド操作片をスライド操作させることにより接点部間を接離してスイッチング操作するスイッチユニットであって、前記スライド操作片がスライド移動したとき、前記ケース内部の板バネ導電片を弾性変位させて接点部間を切換えるスライドスイッチと、前記スライド操作片のスライド移動時に、前記スライドスイッチの接点部間を切換えるタイミングとは異なるタイミングで、前記ケース内部の別の板バネ導電片を弾性変位させて別の接点部間を切換える別のスライドスイッチとの少なくとも２つのスライドスイッチを内蔵することを特徴とする。
【０００９】
ここでスイッチユニットとは、ドアの開閉操作に伴ってオンオフする例えば電子レンジのドアスイッチ機構などに組込むことができる。
【００１０】
前記ケースとは、複数のスライドスイッチの構成部品を取付ける取付け部を有し、モールド成形および絶縁に適した合成樹脂材で構成することができる。また、ケースに複数のスライドスイッチを取付ける際は、１つの共通するスライド操作片と、これに連動する複数の板バネ導電片および複数の接点部を例えば並列配設して構成することができる。
【００１１】
前記復帰バネとは、ケースとスライド操作片との間に介在し、外力を受けてスライドしたスライド操作片を元の位置に戻すための復帰力を与えるコイルバネで構成することができる。
【００１２】
前記スライド操作片とは、複数のスライドスイッチに共通する１つのスライド部材として設けられるものであり、通常は復帰バネで付勢されて外端部がケースより外方に突出して押下可能に抜止め保持され、押下されたときはケース内に没入する如くガイドされて出没自由にスライド動作する。このケースの内部では、一方と他方のスライドスイッチの接点部間に対し、各々異なるタイミングで接触対応して接点部を切換えるものであり、同じくモールド成形および絶縁に適した合成樹脂材で構成することができる。
【００１３】
前記接点部とは、接点部材や板バネ材を用いた導電性の可動接点片および固定接点片などをケース内部に取付けて、スイッチの接点機構を構成することができる。
【００１４】
前記スライドスイッチとは、スライド操作片のスライド動作に伴って板バネ導電片（可動接点片）を弾性変位させて、可動接点片と固定接点片との接点部間を弾性的に接離対応させてスイッチング操作するように構成することができる。
【００１５】
この発明によれば、１つのケースに複数のスライドスイッチを収納することができ、特に１つのスライド操作片の動きに連動させて複数のスライドスイッチをスイッチング操作することができるため、この１つのケースおよび１つのスライド操作片を複数のスライドスイッチの共通部品として有効利用でき、コンパクトに製作できる。ことに、スライド操作片に直接外力を加えるようにすれば、スイッチング操作部材を省略して部品点数を削減することができ、全体的な省スペース化に伴うスイッチユニットの小型化および低コスト化を図ることができる。
【００１６】
また、１つのスライド操作片がスライドする位置に任意に対応させて複数の接点部間を切換えるようにすれば、その切換えタイミングを所望のタイミングに設定できる。したがって、各スライドスイッチに対してはスライド動作に伴う高精度のタイミングで接点部間の切換え操作ができる。
【００１７】
また、板バネ導電片を用いることにより、任意の弯曲形状に形成して該板バネ導電片自体に大きな弾性復帰力を持たせることができ、またスライド操作片のスライド力に連動させて例えば接点部間を押し拡げる方向に大きく弾性変位させれば、接点部間を確実に接離させることができ、接点部間の焼付き排除性能が得られるなど信頼性の高い安定した接点性能が得られる。
【００１８】
さらに、配線においても、複数のスライドスイッチの各端子を１つのケースの同一方向に揃えて突出させることができるため、配線作業が容易になり、配線工数の低減を図ることができる。
【００１９】
他の実施の形態として、ケースに復帰バネを介して取付けられたスライド操作片を設け、該スライド操作片をスライド操作させることにより接点部間を接離してスイッチング操作するスイッチユニットであって、前記スライド操作片がスライド操作方向への外力を受けてスライド移動したとき、前記復帰バネの付勢力に抗して、該スライド操作片の一方に形成された弾性対応部が前記ケース内部の一方の板バネ導電片を弾性変位させて、一方の接点部間をオフ位置からオン位置に切換える第１のスライドスイッチと、前記スライド操作片がスライド操作方向への外力を受けてスライド移動したとき、前記復帰バネの付勢力に抗して、該スライド操作片の他方に形成された弾性対応部が前記第１のスライドスイッチより遅れて前記ケース内部の他方の板バネ導電片を弾性変位させて、他方の接点部間をオフ位置からオン位置に切換える第２のスライドスイッチとを内蔵するスイッチユニットを構成することができる。
【００２０】
この場合は、１つのケースに、１つのスライド操作片の動きに連動する２つのスライドスイッチを備えているため、一方の第１のスライドスイッチのオンオフ動作と他方の第２のスライドスイッチのオンオフ動作との動作タイミングを、１つのスライド操作片のスライド動作位置に正確に対応させることができる。
【００２１】
このときは、同じ１つのスライド操作片のスライド動作でありながら先に第１のスライドスイッチの接点部間を切換え、その後、少し遅れたタイミングで第２のスライドスイッチの接点部間を切換えるように設定できる。
【００２２】
他の実施の形態として、複数のスライドスイッチのスイッチ構成部品を組込み許容するスイッチ収納部をケース本体に一体的に備えたことを特徴とする。
【００２３】
この場合は、予めケース本体に形成されたスイッチ収納部に、スイッチ構成部品を直接組込んで構成できるため、ケース本体への取付け補助部品が不要になり、部品点数の削減が図れる。
【００２４】
他の実施の形態として、複数のスライドスイッチのスイッチ構成部品を組込んだ操作ユニットをケース本体と別体に設け、前記ケース本体に前記操作ユニットを連結して構成したスイッチユニットを構成することができる。
【００２５】
この場合は、予めケース本体とは別にスイッチ構成部品を組込んだ操作ユニットを作製しておくことができる。このため、ケース本体と、操作ユニットとを個別に製作して扱えるため、該スイッチユニットならびに電子レンジ用ドアスイッチの組立および製作が容易になる。
【００２６】
このようにスライドスイッチの切換え性能が高く、小型で経済的なスイッチユニットを、電子レンジ用ドアスイッチに組込んだ場合は、安全性が高く、しかもコンパクトに組込み可能であるため電子レンジの内部容積の増大化および低コスト化に貢献することができる。
【００２７】
【発明の実施の形態】
この発明の一実施の形態を以下図面に基づいて説明する。
図面は電子レンジ用ドアスイッチを示し、図１および図２において、この電子レンジ用ドアスイッチ１１は凸形状の基板を起立して設けたケース本体１２の内壁面上部に、スイッチユニット１３を取付け、その内壁面下部にラッチスイッチ機構１４を取付けて構成される。
【００２８】
上述のスイッチユニット１３は、内部に後述するドアスイッチとモニタスイッチとの両スライドスイッチを並列に組込んで構成されるものであり、また外部の一側には、これらのスイッチを操作するための押下可能なスライド操作片１５を突出させた状態でケース本体１２の上部に取付けている。
【００２９】
このケース本体１２の上部内壁面には、上下一対に係止軸１６を突設し、これら係止軸１６を、スイッチユニット１３の側面に貫通する一対の横貫孔１７に挿通させた状態で、ケース本体１２の上部内壁面に突出させた数個の係止片１８で、該スイッチユニット１３の外周囲を抜止め係止して、ケース本体１２の上部内壁面に一体に取付けている。
【００３０】
一方、ラッチスイッチ機構１４は、ラッチスイッチとして用いられるマイクロスイッチ（以下ラッチスイッチと称す）ＳＷ１と、Ｌ形状の傾動レバー１９と、そのレバー復帰バネ２０とから構成され、ラッチスイッチＳＷ１はケース本体１２の外壁面に突出する図示しない取付け軸に、該スイッチ取付け用に横貫する一対の貫通孔２１を貫通させて軸支し、また図示しない係合爪にてケース本体１２に一体に係合固定している。
【００３１】
上述の傾動レバー１９はＬ形状を有し、そのＬ形状の屈曲位置に設けた軸支孔２２をケース本体１２の内壁面に突出する支点軸２３に傾動自由に挿通させて軸支し、また傾動許容爪２４ａ，２４ｂで該レバー１９を係止してケース本体１２に抜止め支持している。
【００３２】
さらに、該レバー１９の中間部に突出した係止ピン２５にコイル状のレバー復帰バネ２０の一端を係止させ、他端をケース本体１２の内壁面に突出した係止ピン２６に係止させて、該傾動レバー１９の上端に突出する外力受圧面２７が外力を受けることに基づいて軸支孔２２を傾動支点に傾動し、このとき該レバー１９の下端に突出するスイッチ操作面２８がラッチスイッチＳＷ１のアクチュエータ２９を加圧してスイッチング操作する。また、押下解除に基づいて、この傾動レバー１９はレバー復帰バネ２０の復帰作用を受けて元の位置に戻り、スイッチも元の状態に切換えられる。
【００３３】
図３〜図５はスイッチユニット１３を示し、このスイッチユニット１３は第１〜第５固定端子Ｔ１〜Ｔ５と、第１可動片Ｋ１と、第２可動片Ｋ２と、スライド操作片１５と、その復帰バネ３０と、これらを組込む四角形状のユニットケース３１およびその開口面を覆う平板状のスイッチカバー３２とから構成される。
【００３４】
次に、スイッチユニット１３の内部構造について説明する。
図６および図７はユニットケース３１への組込み状態を示し、このユニットケース３１は左右の空洞部３３，３４にモニタスイッチＳＷ２とドアスイッチＳＷ３とを並列状態に配置して内部構成している。また、その間に形成したスライド溝３５にスライド操作片１５を係合させて取付けている。
【００３５】
上述の一方のモニタスイッチＳＷ２は、ユニットケース３１の一側下部（図中左側）に形成した圧入溝３１ａ〜３１ｃに直板状の第１〜第３固定端子Ｔ１〜Ｔ３を圧入固定し、これら３個の固定端子Ｔ１〜Ｔ３の外端部を配線用にユニットケース３１の下面より整列して突出させ、内端部を接点用にユニットケース３１の内方の空洞部３３に臨ませて取付けている。
【００３６】
このうち、第１固定端子Ｔ１の内端部には、導電性の板バネ片を用いて逆Ｕ字形状に長く形成した第１可動片Ｋ１の基端部を固定し、この基端部を弾性付勢支点として先端部をバネ圧にて第３固定端子Ｔ３側に付勢対接させた導通状態に設けている。
【００３７】
これに対し、他方のドアスイッチＳＷ３は、ユニットケース３１の他側下部（図中右側）に形成した圧入溝３１ｄ，３１ｅに直板状の第４、第５固定端子Ｔ４，Ｔ５を圧入固定し、これら２個の固定端子Ｔ４，Ｔ５の外端部をユニットケース３１の下面より整列して突出させ、内端部をユニットケース３１の内方の空洞部３４に臨ませて取付けている。
【００３８】
このうち、一方の第５固定端子Ｔ５の内端部には、導電性の板バネ片を用いて逆Ｕ字形状に長く形成した第２可動片Ｋ２の基端部を固定し、この基端部を弾性付勢支点として先端部をバネ圧にて中央側の壁面に付勢対接させた非導通状態に設けている。
【００３９】
この場合、第１可動片Ｋ１と第２可動片Ｋ２とは、接点部間の切換え部材として用いられ、後述するスライド操作片１５の外力を受けて弾性変位し、この弾性変位に適した導電性の板バネ片を用いる。また、組込みに際しては、同形状を有してユニットケース３１に左右対称に組込まれ、向きが異なるだけで同一部品であるため共用することができる。
【００４０】
上述の第１〜第５固定端子Ｔ１〜Ｔ５は、その外端部をユニットケース３１の下面より整列して突出させることができ、これにより各端子Ｔ１〜Ｔ５の向きや位置を揃えることができ、配線作業を容易にしている。
【００４１】
これらの両スイッチＳＷ２、ＳＷ３の間には後述するスライド操作片１５を介在させるためのスライド溝３５をユニットケース３１の中間部に凹部形成している。
【００４２】
上述のスライド操作片１５は、上述のユニットケース３１のスライド溝３５に収納してスライド可能な長方軸体を有し、その外端部に押子３６と円形の押下ストッパ板３７を有し、内端部には復帰バネ３０を保持するバネ収納凹部３８を設け、このバネ収納凹部３８の外端側と、スライド溝３５の中間部に突設したバネ座３９との間に復帰バネ３０を圧縮可能に介在させた状態でユニットケース３１に取付け、常時スライド操作片１５を外方に付勢している。
【００４３】
通常は、復帰バネ３０で付勢されてスライド操作片１５の外端部がユニットケース３１より外方に突出して押下可能に抜止め保持され、押下されたときはユニットケース３１内に没入する如くガイドされて出没自由にスライド動作する。
【００４４】
また、スライド操作片１５の内端部にはモニタスイッチＳＷ２対応側の側面に第１カムＣ１を突出形成し、ドアスイッチＳＷ３対応側の側面に第２カムＣ２を突出形成している。これら両側のカムＣ１，Ｃ２はスライド操作片１５の一回のスライド動作で、両側のカムＣ１，Ｃ２が両側のモニタスイッチＳＷ２とドアスイッチＳＷ３とのそれぞれに接して、双方のスイッチをスイッチング操作する共通部材として設けている。
【００４５】
通常、図８（Ａ）に示すように、スライド操作片１５の押子３６が押下されていないときは、スライド操作片１５が復帰バネ３０で付勢されてユニットケース３１の一端より押子３６が押下可能に突出した状態にある。このとき、モニタスイッチＳＷ２側は第１固定端子Ｔ１に接続された第１可動片Ｋ１の先端部が第３固定端子Ｔ３とは常閉接点に設定された導通状態にあり、第２固定端子Ｔ２とは常開接点に設定された非導通状態にあり、このときモニタスイッチＳＷ２は開になっている。
【００４６】
また、ドアスイッチＳＷ３側にあっては、第５固定端子Ｔ５に接続された第２可動片Ｋ２が第４固定端子Ｔ４とは常開接点に設定された非導通状態にあり、このときドアスイッチＳＷ３は開になっている。
【００４７】
外力を受けて、スライド操作片１５がスライド移動し始めたとき、図８（Ｂ）に示すように、その初期スライド時に、スライド操作片１５と一体の第１カムＣ１がユニットケース３１内に入り、このとき第１カムＣ１が第１可動片Ｋ１のＵ字形屈曲部分に加圧接触して側方に退避させる如く弾性変位させる。この場合、第１可動片Ｋ１の先端接点部は第３固定端子Ｔ３との接点部間が離れる方向に弾性変位して離間した後、変位方向に対向する第２固定端子Ｔ２の接点部に加圧接触して導通状態（常開接点が閉）になり、モニタスイッチＳＷ２が閉に切換えられる。
【００４８】
その後、さらにスライド操作片１５を押し込んでスライドさせると、図８（Ｃ）に示すように、続いて第２カムＣ２がユニットケース３１内に入り、このとき同様に第２カムＣ２が第２可動片Ｋ２のＵ字形屈曲部分に加圧接触して側方に退避させる如く弾性変位させる。この場合、第２可動片Ｋ２の先端接点部は変位方向に対向する第４固定端子Ｔ４の接点部に加圧接触して導通状態（常開接点が閉）になり、ドアスイッチＳＷ３が閉に切換えられる。
【００４９】
さらに、スライド操作片１５が押し込まれると、押下ストッパ板３７がユニットケース３１の壁面に当接してスライド停止する。
【００５０】
この押下状態からスライド操作片１５の外力が除かれると、スライド操作片１５は復帰バネ３０の復帰力を受けて元の押下待機位置に戻り、両側の可動片Ｋ１，Ｋ２も同様に弾性復帰して元の位置に戻り、接点部間は図８（Ａ）に示した元の状態に戻る。
【００５１】
このように、スイッチユニット１３はスライドスイッチとして左右に並列して組込まれ、並列した一方のモニタスイッチＳＷ２と他方のドアスイッチＳＷ３とが、ユニットケース１５内の両側定位置に配置されるため取付け位置のバラツキがなくなり、また両側のスイッチＳＷ２，ＳＷ３はスライド操作片の動きに伴う一方のスイッチＳＷ２の接点切換えタイミングと他方のスイッチＳＷ３の接点切換えタイミングを異ならせた任意の接点の切換え構成が容易に得られる。
【００５２】
ことに、左右の可動片Ｋ１，Ｋ２は、板バネ導電片を用いて接点の切換えに適した任意の弯曲形状に形成することができ、さらに板バネ導電片自体に大きな弾性復帰力を持たせることができるため、スライド操作片１５のスライド力に連動させて接点部間を押し拡げる方向に大きく弾性変位させることができる。このため、接点部間を確実に接離させて、接点部間を切換える信頼性の高い安定した接点性能が得られる。
【００５３】
また、上述したケース本体１２、ユニットケース３１、スライド操作片１５および傾動レバー１９は、モールド成形および絶縁に適した合成樹脂材を用いて構成することができる。
【００５４】
図中、４０はカシメ用のリベット、４１はカバー側のリベット挿通孔、４２はユニットケース側のリベット挿通孔、４３はカバー側の横貫孔を示す。
【００５５】
図９はスイッチユニット１３を備えた電子レンジ用ドアスイッチ１１の組込み状態を示し、この電子レンジ用ドアスイッチ１１は電子レンジの縦開きドアのドアキー４４と対向する本体フレーム４５の上部に開口する上部窓４６にスライド操作片１５の押子３６を臨ませ、その下部に開口する下部窓４７に傾動レバー１９の外力受圧面２７を臨ませて取付ける。
【００５６】
これらと対向するドアキー４４の対向面上部には上部爪４８を、下部には下部爪４９を突設し、ドアの開閉操作に伴って押圧される押子３６と外力受圧面２７が進退操作してスイッチング操作される。
【００５７】
この場合、スイッチング操作時（ドア閉鎖時）の外力を受ける方向と同方向にスライド操作片１５のスライド方向を合せて取付けており（図においては水平方向）、これにより外力を受けたときは、その外力受圧方向がスライド方向に一致して直線的に作用し、両側のスイッチＳＷ２，ＳＷ３の切換え動作は同一のスライド操作片１５のスライド動作に連動して正確に接点が切換わる構成のため、高精度のタイミングでスイッチングの切換え操作ができる。
【００５８】
図１０は電子レンジ用ドアスイッチの電気回路図を示し、この電子レンジ用ドアスイッチ１１を構成する各スイッチＳＷ１，ＳＷ２，ＳＷ３の端子は、図に示す如く、電子レンジの回路に接続されている。
【００５９】
図１１はドアスイッチ１１を構成する各ＳＷ１，ＳＷ２，ＳＷ３のタイムチャートを示し、ラッチスイッチＳＷ１とドアスイッチＳＷ３は、電子レンジのドアが開放された押下待機状態のときは開状態を保ち、ドアが閉じられた押下操作時は閉信号が出力される。一方、モニタスイッチＳＷ２は電子レンジのドアが開放された押下待機状態ＦＰ（フリーポジション）のときは閉状態を保ち（第１固定端子Ｔ１と第３固定端子Ｔ３が導通）、ドアが閉じられて押下操作されたときは開となる（第１固定端子Ｔ１と第２固定端子Ｔ２が導通）。このときは、例えば出力された信号により電子レンジの調理ランプが点灯される。
【００６０】
この電子レンジは、ラッチスイッチＳＷ１およびドアスイッチＳＷ３が閉になったとき通電して調理可能に作動し、開になったとき作動を停止するが、これらのＳＷ１，ＳＷ３の接点部分に仮に接点溶着などの不具合が生じると、ドアが開けられてもスイッチＳＷ１，ＳＷ３の接点部間が開にならない場合があり、このときは電子レンジの電磁波を出力させて危険になるので最後にモニタスイッチＳＷ２の常閉接点が閉になり、電源回路を短絡するため、ヒューズを溶断して電源を遮断し、安全が確保される。
【００６１】
上述の実施の形態では、第１固定端子Ｔ１と第１可動片Ｋ１とが一体に連結され、同じく第５固定端子Ｔ５と第２可動片Ｋ２とが一体に連結されており、これらは直板状と逆Ｕ字形状とを有して、その形状が大きく異なるためそれぞれ別部品で構成したが、これに限らず、第１固定端子Ｔ１と第１可動片Ｋ１とを一体に連結した形状と同形状を有する１つの単体部品として設けることもできる。
【００６２】
この場合は、単体部品がスイッチング操作時に弾性変位して同様に接点部間を切換える同一の接点切換え構造が得られるほか、２部品が１部品になるので部品点数の削減が図れる。また、第５固定端子Ｔ５と第２可動片Ｋ２側においても、１つの単体部品として製作することができ、しかもこれらの単体部品は同形状を有して両側に左右対称に配設され、その配設方向が異なるだけで同一形状でよいため共用することができる。
【００６３】
図１２および図１３は電子レンジ用ドアスイッチの他の実施の形態を示し、この電子レンジ用ドアスイッチ１２１はケース本体１２２の上部外壁面に、凹形状のスイッチ収納部１２３を一体形成し、このスイッチ収納部１２３にスイッチユニット１２４の構成部品を組付け、その開口面をユニットカバー１２５で閉鎖して一体に組付けるようにしたものである。
【００６４】
また、ラッチスイッチ機構１２６の取付け方向をケース本体１２２の内壁面側に設定し、スイッチ収納部１２３への取付け方向をケース本体１２２の外壁面側に向くように設定して、ケース本体１２２の両壁面側からそれぞれ組付けるように構成している。このようにケースの一面あるいは両面へと、ケースへの組付け方向を部分的に選択できるなど組立構成を選択できるため所望の配置構成や組立性の向上などを図ることができる。
【００６５】
また、この場合は予めケースに形成されたスイッチ収納部１２３にスイッチ構成部品を直接組込んで構成できるため、ケースの一部でユニットケースを代用できる。この結果、部品点数の削減が図れる。
【００６６】
図１４は他の実施の形態のスイッチユニット１４１を示し、このスイッチユニット１４１は、図１５および図１６に示すように、凹形状のユニットケース１４２にスイッチ構成部品としての５個の板バネ端子Ｔ１１〜Ｔ１５と、スライド操作片１４３と、復帰バネ１４４とを組込み、最後にユニットケース１４２の開口面をユニットカバー１４５で覆って密閉した独立したスイッチユニット１４１を予め作製しておき、このスイッチユニット１４１を個別に扱って既述したケース本体１２に取付けるように構成したものである。
【００６７】
この場合は、スイッチユニット１４１を個別に製作して扱えるため、該スイッチユニット１４１ならびに電子レンジ用ドアスイッチの組立および製作が容易になるほか品質を選択できる。例えば、ユニットケース１４２およびユニットカバー１４５を耐熱性に優れた熱硬化性樹脂を用い、ケース本体１２を安価な熱可塑性樹脂を用いるなど樹脂材料別に製作することができる。
【００６８】
次に、スイッチユニット１４１の内部構造について説明する。
図１７はユニットケース１４２への組込み状態を示し、このユニットケース１４２は左右の空洞部１４６，１４７にモニタスイッチＳＷ１２とドアスイッチＳＷ１３とを並列状態に配置して内部構成している。また、その間に形成したスライド溝１４８にスライド操作片１４３をスライド可能に係合させて取付けている。
【００６９】
上述の一方のモニタスイッチＳＷ１２は、ユニットケース１４２の一側下部（図中左側）に形成した圧入溝１４２ａ〜１４２ｃに第１〜第３板バネ端子Ｔ１１〜Ｔ１３を圧入固定し、これら３個の板バネ端子Ｔ１１〜Ｔ１３の外端部を配線用にユニットケース１４２の下面より整列して突出させ、内端部を接点用にユニットケース１４２の内方の空洞部１４６に臨ませて取付けている。
【００７０】
上述の他方のドアスイッチＳＷ１３は、ユニットケース１４２の他側下部（図中右側）に形成した圧入溝１４２ｄ，１４２ｅに第４、第５板バネ端子Ｔ１４，Ｔ１５を圧入固定し、これら２個の板バネ端子Ｔ１４，Ｔ１５の外端部を配線用にユニットケース１４２の下面より整列して突出させ、内端部を接点用にユニットケース１４２の内方の空洞部１４７に臨ませて取付けている。
【００７１】
この場合、第１〜第５板バネ端子Ｔ１１〜Ｔ１５は、その内端側に導電性の板バネ片を用いて長く延出し、圧入固定された基端部を支点に自由端子側を弾性変位許容している。
【００７２】
このうち、モニタスイッチＳＷ１２側にあっては、第２板バネ端子Ｔ１２の自由端部をスライド操作片１４３側に向けて折曲し、その自由端部がスライド操作片１４３の第１カムＣ１１に押圧されて弾性変位し、第２板バネ端子Ｔ１２を第１板バネ端子Ｔ１１に接触させた導通状態に設けている。
【００７３】
これに対し、ドアスイッチＳＷ１３側にあっては、第５板バネ端子Ｔ１５の自由端部をスライド操作片１４３側に向けて折曲し、その自由端部がスライド操作片１４３の第２カムＣ１２に押圧されて弾性変位し、第５板バネ端子Ｔ１５を第４板バネ端子Ｔ１４より離間させた非導通状態を保っている。
【００７４】
この場合、上述の実施の形態の電子レンジ用ドアスイッチ１１とは、スイッチユニット１４１の第１〜第５板バネ端子Ｔ１１〜Ｔ１５の接点構成のみが異なり、他のスイッチ構成部品は同構成であるため、その同一の説明は省略し、異なる部分についてのみ説明する。
【００７５】
次に、上述のスイッチユニット１４１の接点切換え状態について説明する。
【００７６】
通常、図１８（Ａ）に示すように、スライド操作片１４３が押下されていないときは、スライド操作片１４３が復帰バネ１４４で付勢されてユニットケース１４２の一端より押下可能な状態にある。このとき、モニタスイッチＳＷ１２側は第２板バネ端子Ｔ１２の自由端部が第１カムＣ１１に接して位置決めされ、第１板バネ端子Ｔ１１とは常閉接点に設定された導通状態にあり、第３板バネ端子Ｔ１３とは常開接点に設定された非導通状態にあり、このときモニタスイッチＳＷ１２は開になっている。
【００７７】
また、ドアスイッチＳＷ１３側にあっては第５板バネ端子Ｔ１５が第２カムＣ１２に接して位置決めされ、第４板バネ端子Ｔ１４とは常開接点に設定された非導通状態にあり、このときドアスイッチＳＷ１３は開になっている。
【００７８】
図１８（Ｂ）は外力を受けて、スライド操作片１４３がスライド移動し始めたときを示し、この初期スライド時に、スライド操作片１４３と一体の第１カムＣ１１が移動して第２板バネ端子Ｔ１２への押圧力が解除されて離れる。これにより、第２板バネ端子Ｔ１２の自由端部は弾性復帰して第３板バネ端子Ｔ１３と接触して導通状態（常開接点が閉）になり、モニタスイッチＳＷ１２が閉に切換えられる。このときは、ドアスイッチＳＷ１３側は未だ離間した非導通状態（常開接点）を保っている。
【００７９】
その後、図１８（Ｃ）に示すように、スライド操作片１４３を押し込んでスライドさせると、続いて第２カムＣ１２が移動して第５板バネ端子Ｔ１５への押圧力が解除されて、該端子Ｔ１５の自由端部との接触が離れて行き、該カムＣ１２が第４板バネ端子Ｔ１４を押して、第４板バネ端子Ｔ１４の自由端部を第５板バネ端子Ｔ１５側に加圧接触させて導通状態（常開接点が閉）にし、ドアスイッチＳＷ３を閉に切換える。
【００８０】
さらに、スライド操作片１４３が押下停止位置まで押し込まれると、スライド移動が停止する。
【００８１】
この押下状態からスライド操作片１４３の外力が除かれると、スライド操作片１４３は復帰バネ１４４の復帰力を受けて元の押下待機位置に戻り、接点部間も図１８（Ａ）に示した元の状態に戻る。
【００８２】
このような板バネ端子Ｔ１１〜Ｔ１５を用いても既述した実施の形態と同様な作用効果が得られる。ことに、板バネ端子Ｔ１１〜Ｔ１５の接点の切換えに際しては、スライド操作片１４３のスライド動作に連動して板バネ端子Ｔ１１〜Ｔ１５の相互が、その都度、こすれ合って接離対応するワイピング効果が得られるため、常時良好な接点面間の接触性能が得られ、また大きく弾性変位許容するため接点部分での焼付き解除作用が働いて信頼性の高い安定した接点性能が得られる。また、この場合は板バネ端子が固定端子と可動片とを兼用して１部品で構成できるため、部品点数の削減が図れる。
【００８３】
上述のように、１つのユニットケースにモニタスイッチとドアスイッチとの２つのスライドスイッチを収納するだけでなく、１つのスライド操作片を介して同時に２つのスイッチをスイッチング操作することができるため、ユニットケースおよびスライド操作片を共通部品として利用できる。この結果、部品点数を削減して低コスト化、省スペース化および小型化を図ることができる。また、２つのスイッチは、ユニットケース内の定位置に配置するため取付け位置のバラツキがなくなり、またスライド動作に連動してスイッチング操作するため、スイッチ間の動作タイミングが正確であり、信頼性の高い安定したスイッチング操作ができる。
【００８４】
この発明の構成と、上述の実施の形態の構成との対応において、
この発明のケースは、実施の形態のユニットケース３１，１４２に対応し、
以下同様に、
一方の弾性対応部は、第１カムＣ１，Ｃ１１に対応し、
他方の弾性対応部は、第２カムＣ２，Ｃ１２に対応し、
一方の板バネ導電片は、第１可動片Ｋ１に対応し、
他方の板バネ導電片は、第２可動片Ｋ２に対応し、
第１のスライドスイッチは、モニタスイッチＳＷ２，ＳＷ１２に対応し、
第２のスライドスイッチは、ドアスイッチＳＷ３，ＳＷ１３に対応するも、この発明は請求項に示される技術思想に基づいて応用することができ、上述の実施の形態の構成のみに限定されるものではない。
【発明の効果】
この発明によれば、１つのユニットケースに複数のスライドスイッチを収納することができるため、部品点数を削減して低コスト化および小型化を図ることができる。また、両スライドスイッチは一つのスライド操作片の動作に連動して接点部間を切換えることができるため、複数のスイッチの動作タイミングを任意にとれ、信頼性の高い安定したスイッチング操作ができる。このため、このようなスイッチングの切換え性能が高く小型で経済的なスイッチユニットを電子レンジに組込んだ場合は、安全性が高く、コンパクトに効率よく組込むことができ、電子レンジの内部容積の増大化および低コスト化に貢献することができる。
【図面の簡単な説明】
【図１】電子レンジ用ドアスイッチを示す外観斜視図。
【図２】電子レンジ用ドアスイッチを示す展開斜視図。
【図３】スイッチユニットを一側から見た展開斜視図。
【図４】スイッチユニットを他側から見た展開斜視図。
【図５】スイッチユニットを示す外観斜視図。
【図６】スイッチユニットの内部構造を示す外観斜視図。
【図７】スイッチユニットの内部構造を示す正面図。
【図８】スイッチユニットの接点切換え状態を示す動作説明図。
【図９】電子レンジ用ドアスイッチの組込み状態を示す要部斜視図。
【図１０】電子レンジ用ドアスイッチの電気回路図。
【図１１】電子レンジ用ドアスイッチのタイムチャート。
【図１２】他の実施の形態の電子レンジ用ドアスイッチを示す外観斜視図。
【図１３】他の実施の形態の電子レンジ用ドアスイッチを示す展開斜視図。
【図１４】他の実施の形態のスイッチユニットを示す外観斜視図。
【図１５】他の実施の形態のスイッチユニットを一側から見た展開斜視図。
【図１６】他の実施の形態のスイッチユニットを他側から見た展開斜視図。
【図１７】他の実施の形態の内部構造を示す内部構成図。
【図１８】他の実施の形態の接点切換え状態を示す動作説明図。
【符号の説明】
１１，１２１…電子レンジ用ドアスイッチ
１３，１２４，１４１…スイッチユニット
１５，１４３…スライド操作片
３０，１４４…復帰バネ
３１，１４２…ユニットケース
１２３…スイッチ収納部
Ｃ１，Ｃ２，Ｃ１１，Ｃ１２…カム
Ｋ１，Ｋ２…可動片
ＳＷ２，ＳＷ１２…モニタスイッチ
ＳＷ３，ＳＷ１３…ドアスイッチ
【図１】
2004039460.tif 000003
【図２】
2004039460.tif 000004
【図３】
2004039460.tif 000005
【図４】
2004039460.tif 000006
【図５】
2004039460.tif 000007
【図６】
2004039460.tif 000008
【図７】
2004039460.tif 000009
【図８】
2004039460.tif 000010
【図９】
2004039460.tif 000011
【図１０】
2004039460.tif 000012
【図１１】
2004039460.tif 000013
【図１２】
2004039460.tif 000014
【図１３】
2004039460.tif 000015
【図１４】
2004039460.tif 000016
【図１５】
2004039460.tif 000017
【図１６】
2004039460.tif 000018
【図１７】
2004039460.tif 000019
【図１８】
2004039460.tif 000020